(57)【要約】【課題】  バイアステープを外側に位置するように縫い付けたファスナ付き洗濯ネットであって、周囲の洗濯物との擦れ、特にファスナの両端部近傍での擦れを極力軽減するファスナ付き洗濯ネットを提供する。【解決手段】  ネット片１１，１２の周縁部をバイアステープ２で覆うようにして縫い合わせてなるファスナ付きの洗濯ネットＡであって、バイアステープ２は洗濯ネットＡの外側に位置するように縫い付けられ、且つ、ファスナ３の端部近傍において、ファスナ３を構成する２本のテープ３１，３２の縁部にそれぞれ縫い付けられた２本のバイアステープ２，２１を捩じることなく互いに接近させて縫い合わせた。【選択図】  図１
2005081099.tif 000002
【特許請求の範囲】
【請求項１】
ネット片の周縁部をバイアステープで覆うようにして縫い合わせてなるファスナ付き洗濯ネットであって、該バイアステープは洗濯ネットの外側に位置するように縫い付けられ、且つ、該ファスナの端部近傍において、該ファスナを構成する２本のテープの縁部にそれぞれ縫い付けられた２本のバイアステープをねじることなく互いに接近させて平坦状に縫い合わされてなることを特徴とするファスナ付き洗濯ネット。
【請求項２】
前記ファスナの端部近傍で、接近して縫い合わされる２本のバイアステープの間に、三角形状の当て材が縫い合わされていることを特徴とする請求項１記載のファスナ付き洗濯ネット。
【請求項３】
前記当て材が、ファスナの止め具となっていることを特徴とする請求項２記載のファスナ付き洗濯ネット。
【請求項４】
前記当て材が、ファスナの外側及び内側に縫い合わされていることを特徴とする請求項２又は３記載のファスナ付き洗濯ネット。
【請求項５】
前記ファスナの端部に、引手ごとスライダを収納するためのカバー体が設けられていることを特徴とする請求項１記載のファスナ付き洗濯ネット。
【発明の詳細な説明】
【技術分野】
【０００１】
本発明は、ファスナ付き洗濯ネットに関し、更に詳しくは、バイアステープを外側に位置するように縫い付けたファスナ付き洗濯ネットであって、周囲の洗濯物との擦れ、特にファスナの両端部近傍での擦れを極力軽減するファスナ付き洗濯ネットに関する。
【背景技術】
【０００２】
ストッキングや絹製の衣類等の傷み易い衣類や、セーター等の型崩れし易い衣類などを洗濯するために、洗濯ネットが用いられている。
洗濯ネットは、１枚又は数枚のネット片の周縁部を重ね合わせ、その重ね合わせた周縁部をバイアステープで覆うようにして縫い合わされて、球形状や箱状、筒状、ドーム状等の袋状に形成される。
【０００３】
ところで、かつての洗濯機は、パルセータと呼ばれる攪拌翼で水槽内の洗濯水を勢いよく旋回させて洗濯物の汚れを落とすものであった。
そのため、バイアステープが洗濯ネットの外側に位置するように縫い付けられていると（例えば後述する図８参照）、バイアステープが水槽内壁やパルセータに擦れて擦り切れてしまう可能性があった。
そのため、洗濯ネットは、バイアステープが内側に位置するように縫い付けられたものが多く提案された（特許文献１〜３等参照）。
【０００４】
しかし、近年、洗剤等の改良が進み、或いはクリーニング代の節約等のため、絹製等の貴重な衣服やセーター等を自宅で洗濯することが多くなった。
また、それに合わせて、洗濯機もかつてのように洗濯水の旋回力を利用する代わりに、最近の洗濯機は、パルセータの回転方向を頻繁に変えて水槽内で洗濯水の水流が絶えず向きを変えるものが主流となってきた。
そのため、バイアステープを外側に縫い付けた洗濯ネットを用いても、バイアステープが水槽内壁やパルセータ等に当たって擦り切れるという事態は生じにくくなった。
【０００５】
一方、このような洗濯機では、洗濯水の水流の方向転換に伴って、洗濯ネットの内部で衣類が泳ぐため、衣類と洗濯ネットとが相互に擦れ合う現象が生じる。
そうした場合、上記のようにバイアステープが洗濯ネットの内側に位置するように縫い付けてあると、今度は、洗濯ネット内の貴重な傷み易い衣服やストッキング等とバイアステープとが、頻繁に擦れ合って衣類を傷める可能性がある。
【０００６】
そのため、最近では、むしろ洗濯ネット内の衣類を保護することに重点を置いて、逆に、洗濯ネットはバイアステープを外側に縫い付けたタイプのものが多く提案されるようになってきている（特許文献４，５等参照）。
【０００７】
本願出願人も、こうした洗濯機の変化に合わせて、望ましい洗濯ネットとして、バイアステープを外側に位置するように縫い付けた洗濯ネットを、比較的早い段階で提案している（特許文献６，７等参照）。
図８は、バイアステープを外側に縫い付けた従来のファスナ付き洗濯ネットの一例を示す斜視図である。
【０００８】
この従来のファスナ付き洗濯ネットＢは、中に衣類等を入れると球形状になるようにネット片１１，１２が縫い合わされており、バイアステープ２，２１が洗濯ネットＢの外側に縫い付けられている。
また、本願出願人は、こうした洗濯ネットＢで、ファスナ３のスライダ３４の引手３４ａが周囲の洗濯物や洗濯機に引っ掛かったり擦れたりしないように、引手３４ａごとスライダ３４を収納するカバー体を設けることも提案した（特許文献８，９参照）。
【０００９】
【特許文献１】特開平６−３１２０８４号公報
【００１０】
【特許文献２】特開平１１−７０２９１号公報
【００１１】
【特許文献３】特開２００２−３６０９７７号公報
【００１２】
【特許文献４】特開平７−２８９７７８号公報
【００１３】
【特許文献５】特開平１０−６６７９９号公報
【００１４】
【特許文献６】実公平３−４９６６６号公報
【００１５】
【特許文献７】実開平４−５６４８３号公報
【００１６】
【特許文献８】特開２００１−１０４６８５号公報
【００１７】
【特許文献９】特開２００１−２５９２８３号公報
【発明の開示】
【発明が解決しようとする課題】
【００１８】
ところで、バイアステープを洗濯ネットの外側に位置するように縫い付けると、洗濯水を勢いよく旋回させたかつての洗濯機の場合ほどではないにせよ、最近の洗濯機でも、やはりバイアステープが周囲の洗濯物と接触し擦れ合うことは避けられない。
例えば、特許文献６に記載した洗濯ネット（図８参照）で、バイアステープを比較的弱い素材のものに付け替えて洗濯実験を繰り返し行うと、バイアステープが擦り切れているのが観察される場合がある。
【００１９】
特に、図８に示したように、ファスナ３のテープ３１，３２の縁部に縫い付けたバイアステープ２１，２を縫い合わせるために、ファスナ３の長手方向の端部（本明細書では単にファスナの端部という）近傍で盛り上がった部分Ｂ１が形成され、それが擦り切れ易いことが分かってきた。
【００２０】
このように洗濯ネットのバイアステープと周囲の洗濯物とが擦れると、洗濯ネット自体の耐久性が低下してしまう。
また、同時に、洗濯ネットがその周囲の洗濯物を傷めることにもつながるため、改善が必要である。
【００２１】
本発明は、かかる実状を背景に、上記の問題点を克服するためになされたものである。
即ち、本発明の目的は、バイアステープを外側に位置するように縫い付けたファスナ付き洗濯ネットであって、周囲の洗濯物との擦れ、特にファスナの両端部近傍での擦れを極力軽減するファスナ付き洗濯ネットを提供することである。
【課題を解決するための手段】
【００２２】
かくして、本発明者は、このような課題背景に対して、鋭意研究を重ねた結果、従来のファスナ付き洗濯ネット（例えば図８参照）のように、ファスナのテープの縁部に縫い付けた２本のバイアステープをそれぞれ捩じってその外側同士を縫い合わせるのではなく、２本のバイアステープを捩じらずにそのまま互いに接近させて縫い合わせることにより、盛り上がった部分ができるのを防止でき、しかも、バイアステープがネット面に対して平行に近くなるまで倒れた状態にし易くなることを見出し、この知見に基づいて本発明を完成させたものである。
【００２３】
即ち、本発明は、（１）、ネット片の周縁部をバイアステープで覆うようにして縫い合わせてなるファスナ付き洗濯ネットであって、該バイアステープは該洗濯ネットの外側に位置するように縫い付けられ、且つ、該ファスナの端部近傍において、該ファスナを構成する２本のテープの縁部にそれぞれ縫い付けられた２本のバイアステープを捩じることなく互いに接近させて縫い合わされてなるファスナ付き洗濯ネットに存する。
【００２４】
また、（２）、前記ファスナの端部近傍で、接近して縫い合わされる２本のバイアステープの間に、三角形状の当て材が縫い合わされているファスナ付き洗濯ネットに存する。
【００２５】
また、（３）、前記当て材が、ファスナの止め具となっているファスナ付き洗濯ネットに存する。
【００２６】
また、（４）、前記当て材が、ファスナの外側及び内側に縫い合わされているファスナ付き洗濯ネットに存する。
【００２７】
また、（５）、前記ファスナの端部に、引手ごとスライダを収納するためのカバー体が設けられているファスナ付き洗濯ネットに存する。
【００２８】
本発明はこの目的に沿ったものであれば、上記１〜５の中から選ばれた２つ以上を組み合わせた構成も当然採用可能である。
【発明の効果】
【００２９】
本発明によれば、ファスナ付き洗濯ネットの２本のバイアステープを捩じらずにそのまま互いに接近させて平坦状に縫い合わせることで、バイアステープが盛り上がるのを回避できるため、バイアステープを外側に位置するように縫い付けても、バイアステープが周囲の洗濯物と擦れ合うのを極力軽減することが可能となる。
【発明を実施するための最良の形態】
【００３０】
以下、図面に基づき、本発明のファスナ付き洗濯ネットの好適な実施の形態について説明する。
図１は、本実施形態のファスナ付き洗濯ネットの正面図である。
図２は、図１のファスナ付き洗濯ネットのＡ１部分を模式的に示す断面図である。
【００３１】
本実施形態では、洗濯ネットＡは、いわゆる瓢箪型の２枚のネット片１１，１２を縫い合わせて野球のボールの如く球形状に形成されている。
本発明の洗濯ネットＡでは、上記と同様に、洗濯ネットＡ内の衣類と擦れ合わないように、バイアステープ２が洗濯ネットＡの外側に位置するように縫い付けられている点に特徴がある。
【００３２】
具体的には、図２に示したように、２枚のネット片１１及びネット片１２の周縁部１１ａ，１２ａを重ね合わせ、それを洗濯ネットＡの外側に折り返し、バイアステープ２で覆うようにして縫い付けて、２枚のネット片１１，１２を縫い合わせるのである。
その際、洗濯機の水槽内の水流でほつれないように、バイアステープ２を重ね合わせたネット片１１，１２の周縁部１１ａ，１２ａと、内側Ｐ及び外側Ｑの２カ所で縫い合わせるのが好ましい。
【００３３】
また、図２に示すように、バイアステープ２を、ネット片１１，１２が構成するネット面に
対して平行に近くなるまで倒れた（或いは寝た）状態に形成すれば、洗濯ネットＡの周囲の洗濯物に引っ掛かったり擦れたりするのをより少なくすることができ好ましい。
このことは、バイアステープ２がネット面に対して垂直に立っている状態（図示しない）を想像すれば、容易に理解されよう。
【００３４】
ファスナ３も、同様にしてネット片に取り付けられる。
図３は、図１のファスナ付き洗濯ネットＡのＡ２部分を模式的に示す断面図である。
即ち、ネット片１１の周縁部１１ａが外側に折り返されて、ファスナ３のテープ３１の縁部３１ａと重ね合わされ、それをバイアステープ２で覆うようにして内側Ｐと外側Ｑにて縫い付けて、ファスナ３のテープ３１がネット片１１に取り付けられる。
【００３５】
ファスナ３のもう一方のテープ３２も、同様にしてその縁部３２ａがネット片１２の周縁部１２ａに重ね合わされ、バイアステープ２１で覆うようにして縫い付けられる。
本発明のファスナ付き洗濯ネットＡでは、このように、バイアステープ２が洗濯ネットＡの外側に位置するように縫い付けられ、ネット片１１，１２の周縁部１１ａ，１２ａやファスナ３のテープ３１，３２の縁部３１ａ，３２ａが周囲の衣類等と擦れるのを防止する役割を果たす。
【００３６】
さて、ファスナ３の２本のテープ３１，３２に縫い付けられたバイアステープ２，２１は、それぞれネット片１１，１２が構成するネット面に対して平行に近くなるまで倒れた状態になっている。
また、このファスナ３の部分では、バイアステープ２，２１の端縁部分２ａ，２１ａは互いに反対方向を向いている。
【００３７】
従来のファスナ付き洗濯ネットでは、こうした２本のバイアステープのごく一般的な縫合わせ方法として、このバイアステープ２１，２をそれぞれ捩じってそれぞれの端縁部分２ａ，２１ａ同士を縫い合わせる縫合わせ方法を採用したため、必然的に盛り上がった部分Ｂ１が生じてしまった（図８参照）。
そして、この盛り上がった部分Ｂ１は比較的硬くなり、しかも図８から分かるようにスライド３４の引手３４ａは高角度で起立し倒れにくいため、尚更周囲の洗濯物（衣類等）を傷めることとなる。また、この盛り上がった部分Ｂ１が洗濯ネットＢの周囲の洗濯物と擦れ合ってバイアステープ２，２１が擦り切れてしまったのである。
【００３８】
それに対し、本発明では、ファスナ３の端部近傍において、ファスナ３を構成する２本のテープ３１，３２の縁部３１ａ，３２ａにそれぞれ縫い付けられた２本のバイアステープ２，２１同士を捩じれることなく互いに接近させて平坦状の縫い合わせる点に特徴がある。
こうすることで、上記のような盛り上がりを回避することができるのであるが、以下、この点について説明する。
【００３９】
図４は、図１の洗濯ネットＡのファスナ３の一方側（即ち下止側）の端部近傍を拡大した図である。
因みに、図１及び図４では、バイアステープ２，２１の縫合わせ部（バイアステープ上の点線）は、便宜上、図２及び図３における内側Ｐの縫合わせのみを示している。
【００４０】
このように、本発明のファスナ付き洗濯ネットＡでは、バイアステープ２，２１を、ネット片１１，１２が構成するネット面に対して平行に近くなるまで倒れた状態のまま互いに接近させていき、例えば、本実施形態のように、バイアステープ２がバイアステープ２１を外側から覆うようにして縫い合わせる。
つまり、バイアステープ２，２１は、端縁部分２ａ，２１ａが互いに反対方向を向いたまま縫い付けられるため、ネット面に対して起き上がることがないのである。
【００４１】
言い換えれば、ファスナ３の部分Ｋからバイアステープ２，２１の縫合わせ部分Ｌを経てバイアステープ２にまとめられる部分Ｍに至るまで、バイアステープ２，２１は、何ら盛り上がりや凹凸を生じることなく、いわば平坦な状態となる。
従って、本発明のファスナ付き洗濯ネットＡは、従来のファスナ付き洗濯ネットＢで特に顕著であったファスナの両端部近傍の盛り上がり部分での周囲の洗濯物との擦れを回避することができるのである。
【００４２】
このことは、バイアステープ２がネット面に対して倒れた状態を形成し易いという本発明の利点にもつながる。
即ち、先述したように、バイアステープ２がネット面に対して平行に近くなるまで倒れた状態になっていれば好ましいが（図２参照）、本発明によれば、バイアステープ２が、図３に示したような倒れた状態のままバイアステープ２１と縫い合わされ、ネット面に対して起き上がることがないため、図２に示したような倒れた状態を形成し易いのである。
【００４３】
ところで、ファスナ３としては種々のファスナが使用可能であるが、中でも、エレメント３３（
又は務歯ともいう。図３及び図４参照）が樹脂製であるいわゆる樹脂ファスナであればより好ましい。
樹脂ファスナは、種々の利点を有するが、特に、洗濯ネットＡ内外の衣類が引っ掛かり難く本発明の目的と合致する。
【００４４】
また、本発明のファスナ付き洗濯ネットＡは、上記のようにファスナ３の端部近傍でバイアステープ２，２１を縫い合わせる。
そのため、ファスナ３の端部近傍で、この終端部と、互いに接近するバイアステープ２，２１とに囲まれるようにして、三角形状の空隙（又は穴）が形成される場合がある。
そうした場合には、図１や図４に示すように、接近して縫い合わされる２本のバイアステープ２，２１の間に、三角形状の布等の当て材４を縫い合わせるとよい。
【００４５】
また、この三角形状の当て材４を、図４に示すように、積極的にファスナ３のエレメント３３の終端上に掛かるように形成し、特に止め具（図４の場合は下止）の上側を覆ってしまうように形成すれば、この当て材４自体をファスナ３の止め具として用いることができる。
ファスナ３の両端部の止め具（上止及び下止）が剥き出しになっていると、止め具に洗濯ネットＡの周囲の洗濯物が引っ掛かったり洗濯物に擦れたりする可能性があるが、上記のように、当て材４自体を止め具として用いれば、こうした洗濯物に対する擦れを防止することができ、好ましい。
【００４６】
また、当て材４を、ファスナ３の外側だけでなく、同様にしてファスナ３の内側にも縫い合わせれば、洗濯ネットＡの内部の洗濯物がファスナ３の止め具に引っ掛かることをも防止することができ、より好ましい。
特に、止め具に引っ掛かり易いストッキングや下着等の衣類を洗濯する場合には、効果的に引っ掛かり等を防止することができる。
ファスナ３のエレメント３３に洗濯ネットＡ内部の衣類が引っ掛からないように、ファスナ３の内側（即ち裏側）に覆い片（又は当て布）を縫い付ければ、更に好ましい。
【００４７】
図５は、図１の洗濯ネットＡのファスナの図４とは反対側（即ち上止側）の端部近傍を拡大した図である。
このように、ファスナ３の端部のうち、ファスナ３を閉じた際にスライダ３４が来る側（即ち上止側）の端部に、カバー体５が設けられていれば好ましい。
【００４８】
カバー体５は、例えば図５に示したように半円筒状に形成され、材質的には布やゴム等で形成される。
図５では、カバー体５の後端部５１を開口状に形成する場合を示したが、このように開口状に形成するか閉じた状態に形成するかは任意であり、適宜決められる。
【００４９】
このようにカバー体５を形成することにより、洗濯ネットＡの内部に洗濯物を入れてファスナ３を閉じ、引手３４ａごとスライダ３４を押し込むことでスライダ３４を収納することができる。
そして、カバー体５がスライダ３４を覆うため、スライダ３４がカバー体５により固定され、洗濯の最中にスライダ３４が動いてファスナ３が開いてしまうのを防止することができる。
また、引手３４ａがカバー体５により覆われて固定されるため、洗濯中に引手３４ａが、洗濯ネットＡ周囲の洗濯物に引っ掛かったり擦れたりするのが確実に防止されるのである。
【００５０】
さて図６は、先述した当て材４の取り付け方法を示している。
当て材４は、水通りの良い目の細かなメッシュ状の布材で形成されている。
この当て材４は、長方形の長手方向両端側が先細りにされた形状をしている。
【００５１】
そして、この当て材４の長手方向中央付近に窪みを形成するようにＷ状に折り曲げ（図６（Ａ）参照）、この窪みにファスナ３の端部を挿入し、このように重ね合わされたファスナ３と当て材４とに、厚み方向に貫通するように糸を縫い付け連結する（図６（Ｂ）参照）。
【００５２】
図７は、当て材の取り付け方法の変形例を示している。
この変形例では、当て材４は２枚使われる。
そして、当て材４を中央で折り返し、折り返された側をファスナ３側に向けながら、ファスナ３の上面側と下面側とにそれぞれ配置する（図７（Ａ）参照）。
そして、この２枚の当て材４とファスナ３とに、厚み方向に貫通するように糸を縫い付け連結する（図７（Ｂ）参照）。
【００５３】
以上、本発明を説明してきたが、本発明は上記の実施の形態にのみ限定されるものではなく、その本質を逸脱しない範囲で、他の種々の変形例が可能であることはいうまでもない。
例えば、本実施形態では、洗濯ネットとして野球ボール状の球状のものを示したが、当然他の形状の洗濯ネットにも本発明を適用することができる。
【００５４】
また、本実施形態では、２枚のネット片を縫い合わせた洗濯ネットの場合を示したが、当然更に多い枚数のネット片を縫い合わせるものや、１枚のネット片を折り返して形成するものにも適用可能である。
更に、バイアステープの色や模様を変えることにより、洗濯ネットの容量やメッシュの目の粗さ等の違いを表示することができ、そうした表示は適宜行われる。
【図面の簡単な説明】
【００５５】
【図１】図１は、本実施形態のファスナ付き洗濯ネットの正面図である。
【図２】図２は、図１のファスナ付き洗濯ネットのＡ１部分を模式的に示す断面図である。
【図３】図３は、図１のファスナ付き洗濯ネットのＡ２部分を模式的に示す断面図である。
【図４】図４は、図１の洗濯ネットのファスナの一方側（即ち下止側）の端部近傍を拡大した図である。
【図５】図５は、図１の洗濯ネットのファスナの図４とは反対側（即ち上止側）の端部近傍を拡大した図である。
【図６】図６は、当て材の取り付け方法を示す説明図であり、（Ａ）はファスナへの縫合わせ前の状態を示しており、（Ｂ）はファスナへ縫合わせた後の状態を示している。
【図７】図７は、当て材の取り付け方法の変形例を示す説明図であり、（Ａ）はファスナへの縫合わせ前の状態を示しており、（Ｂ）はファスナへ縫合わせた後の状態を示している。
【図８】図８は、バイアステープを外側に縫い付けた従来の洗濯ネットの一例を示す斜視図である。
【符号の説明】
【００５６】
Ａ…本発明の洗濯ネット
Ｂ…従来の洗濯ネット
Ｂ１…盛り上がり部分
１，１１，１２…ネット片
１１ａ，１２ａ…周縁部
２，２１…バイアステープ
２ａ，２１ａ…端縁部分
３…ファスナ
３１，３２…テープ
３１ａ，３２ａ…縁部
３３…エレメント
３４…スライダ
３４ａ…引手
４…当て材
５…カバー体
５１…後端部
【図１】
2005081099.tif 000003
【図２】
2005081099.tif 000004
【図３】
2005081099.tif 000005
【図４】
2005081099.tif 000006
【図５】
2005081099.tif 000007
【図６】
2005081099.tif 000008
【図７】
2005081099.tif 000009
【図８】
2005081099.tif 000010